(57)【要約】【課題】光ファイバが容易に接続可能な複合化中継アンプとそれを用いたネットワークシステムを提供する。【解決手段】従来の双方向中継アンプに、光電変換ユニット５９が装着可能な端子Ｔを設ける。増幅器４５ａ、４５ｂの入出力を同軸ケーブル系に接続する時は、この端子Ｔに自動増幅率制御装置（ＡＧＣ）のみを接続する。逆に、その入出力を光ファイバ２５に接続する時は、ＡＧＣを取り外して光電変換ユニット５９を装着し、その入出力を増幅器４５ａ、４５ｂに接続する。又、同時に、同軸ケーブル系の減衰器を取り外し、切り離された上流側の端子Ｔに終端抵抗ｒa 、ｒb を備える。これを複合化中継アンプとする。複合化中継アンプ以降の需要家は光ファイバ２５で直接、中央装置と接続される。即ち、ネットワークシステムの需要家が２分される。需要家が２分されるので、通信効率が向上する。【選択図】図３
2011139539.tif 000002
【特許請求の範囲】
【請求項１】
ＣＡＴＶ局の中央装置から末端の各需要家の下り方向に信号を伝送し、各需要家から前記中央装置の上り方向に信号を伝送するようにしたＣＡＴＶネットワークシステムの同軸伝送路に配設された双方向中継増幅器であって、
前記中央装置側に設けられた第１分波フィルタと、
前記需要家側に設けられた第２分波フィルタと、
前記第１分波フィルタと前記第２分波フィルタとの間に設けられ、前記第１分波フィルタの下り端子に接続された第１減衰器と、第１減衰器に接続される第１イコライザと、下り信号を増幅する下り増幅器と、
前記第１分波フィルタと前記第２分波フィルタとの間に設けられ、上り信号を増幅する上り増幅器と、前記上り増幅器の出力信号を等化する第２イコライザと、第２イコライザが接続される第１端子と前記第１分波フィルタの上り端子とに対して着脱自在の第２減衰器と
から成る双方向中継増幅器において、
前記第２減衰器を前記第１端子と前記上り端子から離脱させて、前記上り端子とアース端子とに終端抵抗を装着し、前記第２イコライザの出力信号を入力し、この出力信号を光信号に変換する光電変換ユニットを前記双方向中継増幅器の筐体の空きスペースに配設し、
前記光電変換ユニットにより変換された光信号を前記中央装置側に伝送する光ファイバに、前記光電変換の出力端を接続させ、
下り信号を電気信号とし、上り出力信号を光信号して電気信号と光信号とが複合化された
ことを特徴とする複合化双方向中継増幅器。
【発明の詳細な説明】
【技術分野】
【０００１】
本発明は、ネットワークシステムの信号を増幅して伝送する中継アンプに関する。特に、同軸ケーブル用中継アンプに光ファイバの光電変換器を装着するだけで、上流側の入出力又は上流側への出力を同軸ケーブル系から光ファイバ系に切り換えることができる複合化中継アンプに関する。本発明は、双方向データ通信を行うＣＡＴＶシステムに適用することができる。
【背景技術】
【０００２】
従来より、地上波放送、衛星放送を伝送するＣＡＴＶシステムがある。近年では、それにインタネット等のデータ通信が加わり利便性に優れたネットワークシステムとなっている。図１３にＣＡＴＶネットワークシステムを示す。ＣＡＴＶネットワークシステムは、ＣＡＴＶ局に設けられた中央装置１０、中央装置１０から延出された光ファイバ（主線路）２０、光ファイバの入出力を光電変換し中継する光電変換型中継装置Ａ、電気信号を中継する中継装置Ｂ、中継装置Ａ及び中継装置Ｂから分岐された分岐線路２１、分岐線路２１に接続された需要家（構内ネットワーク）３０から構成される。
【０００３】
需要家３０は、例えば分岐線路２１からの信号を分配する分配器３１、３４、そして分配器３４に接続されるＴＶ装置３２、コンピュータ装置３３から構成される。そして、需要家は上記端末装置で地上波放送、衛星放送の受信、又インタネット等のデータ通信を行っている。この時、中央装置１０からのＴＶ信号と下り方向のデータ信号は例えば７０ＭＨｚ〜７７０ＭＨｚの下り帯域で、上り方向のデータ信号は１０〜５５ＭＨｚの上り帯域でブロードバンド方式で伝送されている。そして、インタネット等のデータ通信は、上記帯域の中の所定帯域を使用して行われている。
【発明の開示】
【発明が解決しようする課題】
【０００４】
しかしながら、近年のインタネットの普及に伴い上記所定帯域の利用が増大し、多くのユーザーが同時に利用するとその帯域利用の待ち時間が増え、結果として通信効率が低下するという問題が生じて来た。
【０００５】
本発明はこの問題点を解決するためになされたものであり、その目的は、従来のネットワークシステムの何れかの中継アンプを光ファイバが接続される複合化中継アンプとし、それにより従来のネットワークシステム（需要家）を分割し、その結果待機時間を減少させて通信効率を向上させることである。
又、容易に光電変換器が装着できる複合化中継アンプを提供することである。
又、複合化中継アンプを導入して従来のネットワークシステムを分割しても、分割された上流側のデータ通信の品質を維持することである。
尚、上記の目的は、個々の発明が個々に達成する目的であって、個々の発明が全ての上記の目的を達成するものと解釈されるべきではない。
【課題を解決するための手段及び作用・効果】
【０００６】
本発明は、ＣＡＴＶ局の中央装置から末端の各需要家の下り方向に信号を伝送し、各需要家から中央装置の上り方向に信号を伝送するようにしたＣＡＴＶネットワークシステムの同軸伝送路に配設された双方向中継増幅器であって、中央装置側に設けられた第１分波フィルタと、需要家側に設けられた第２分波フィルタと、第１分波フィルタと第２分波フィルタとの間に設けられ、第１分波フィルタの下り端子に接続された第１減衰器と、第１減衰器に接続される第１イコライザと、下り信号を増幅する下り増幅器と、第１分波フィルタと第２分波フィルタとの間に設けられ、上り信号を増幅する上り増幅器と、上り増幅器の出力信号を等化する第２イコライザと、第２イコライザが接続される第１端子と第１分波フィルタの上り端子とに対して着脱自在の第２減衰器とから成る双方向中継増幅器において、第２減衰器を第１端子と上り端子から離脱させて、上り端子とアース端子とに終端抵抗を装着し、第２イコライザの出力信号を入力し、この出力信号を光信号に変換する光電変換ユニットを双方向中継増幅器の筐体の空きスペースに配設し、光電変換ユニットにより変換された光信号を中央装置側に伝送する光ファイバに、光電変換ユニットの出力端を接続させ、下り信号を電気信号とし、上り出力信号を光信号して電気信号と光信号とが複合化されたことを特徴とする複合化双方向中継増幅器である。
【０００７】
［原出願の発明］
以下は、原出願の発明の説明である。筐体には、双方向同軸アンプと光ファイバが接続される光電変換器又は光電変換ユニットを装着するスペースと端子が備えられている。そして光電変換器又は光電変換ユニットをその端子、即ち予め設けられたスペースに装着すると、例えば端子による接続変更により双方向同軸アンプの入出力が光ファイバ系に切り換えられる。逆に、光電変換器又は光電変換ユニットを取り外すと例えば端子接続の変更により同軸ケーブル系に切り換えられる。即ち、光電変換器又は光電変換ユニットの着脱に応じて双方向同軸アンプの入出力が光ファイバ系と同軸ケーブル系に切り換えられる。即ち、即座に光ファイバ系サービス需要に対応できる複合化中継アンプとなる。
【０００８】
又、双方向同軸アンプの入出力の切り換えは光電変換器又は光電変換ユニットの着脱に連動したスイッチ装置によって行われることを特徴とする。この時、切り換えスイッチ装置とは、例えば機械式押圧スイッチである。
即ち、作業者が光電変換器又は光電変換ユニットを装着すれば、例えば装着時の押圧力によって自動的に光ファイバ系に切り換えられる。逆に、光電変換器を取り外せば、再び同軸ケーブル系に切り換えられる。即ち、作業者はいちいち同軸ケーブル系の増幅器を取り外し、光電変換器を含む光ファイバ系の増幅器を取り付けて様々な配線作業を行う必要がない。即ち、作業性にすぐれた複合化中継アンプとなる。
【０００９】
又、双方向同軸アンプは自動増幅率制御装置を有した双方向同軸アンプであり、光電変換器又は光電変換ユニットが装着されるスペースはその自動増幅率制御装置を取り除いた後のスペースであることを特徴とする。
双方向同軸アンプが自動増幅率制御アンプ、所謂ＡＧＣアンプである時、通常双方向アンプに自動増幅率制御装置が付加された状態である。よって、これを取り除いて手動増幅率制御とすれば、光電変換器又は光電変換ユニットが装着されるスペースが生じる。よって、そのスペースに光電変換器又は光電変換ユニットが装着できるようにすれば、新たに光電変換器装着用のスペースを設ける必要がない。即ち、光ファイバ系と同軸ケーブル系に切り換え可能な高度な機能を有しながらもそれを小型化することができる。
【００１０】
又、光電変換器又は光電変換ユニットが装着される端子は自動増幅率制御装置を取り除いた後のスペースに露出されることを特徴とする。
即ち、双方向同軸アンプから自動増幅率制御装置を取り除いた後のスペースに光電変換器又は光電変換ユニットを装着する端子が現れる。即ち、作業者は双方向同軸アンプから自動増幅率制御装置を取り除いて、そのあとに光電変換器又は光電変換ユニットを装着するだけでよい。更に、小型化される複合化中継アンプとなる。
【００１１】
又、光電変換器又は光電変換ユニットを装着するスペースに光ファイバが接続された光電変換器又は光電変換ユニットが装着されたことを特徴とする。
光電変換器又は光電変換ユニットを装着した複合化中継アンプは、それより上流の伝送路を光ファイバとし、それより下流の伝送路を従来の同軸ケーブルとなる。即ち、従来の１系統のネットワークシステムを複数の並列のネットワークシステムに分割することができる。この複合化中継アンプを用いれば、ネットワークシステムが複数に並列に分割されるので、データ通信の伝送効率を向上させることができる。
【００１２】
又、入出力の切り換えによって切り離された同軸ケーブル系の端部に終端抵抗が接続されることを特徴とする。
光電変換器又は光電変換ユニットを装着すると入出力が切り換えられ、それにより同軸ケーブル系の入出力が切り離され端部がオープンとなる。端部がオープンであると、そこで反射が生じ、複合化中継アンプより上流のネットワークシステムにおいてデータ通信の品質が低下する。よって、光電変換器又は光電変換ユニットの装着時は、切り離された同軸ケーブル系の端部に終端抵抗を備える。これにより、複合化中継アンプより上流のネットワークシステム、即ち分割された従来系のネットワークシステムの品質を維持することができる。
【００１３】
又、終端抵抗の接続は光電変換器又は光電変換ユニットの装着に連動して行われることを特徴とする。
例えば、連動とは光電変換器又は光電変換ユニットの装着に伴い自動的に行われることを意味する。例えば、光電変換器又は光電変換ユニットと終端抵抗を同一基板上に設け、その基板を所定の端子に接続するようにする。これにより、光電変換器又は光電変換ユニットの装着と同時に、所定個所に終端抵抗が設けられる。即ち、１回の装着で入出力の切り換えと、切り離された終端の終端処理が完了する。
又は、例えば、光電変換器又は光電変換ユニットの装着と入出力の切り換えスイッチ装置が連動するように構成する。切り換えスイッチ装置は、例えば押圧式の機械的スイッチとする。作業者が光電変換器又は光電変換ユニットを装着すると切り換えスイッチ装置が押圧され、入出力が切り換えられるとともにそれに連動して同じくスイッチ装置によって同軸ケーブル系の終端が自動的に終端抵抗に接続されるようにする。即ち、作業者は光電変換器又は光電変換ユニットの装着時に、いちいち終端抵抗を手動で接続する必要がない。よって、より利便性に優れた複合化中継アンプとなる。
【００１４】
又、光電変換器又は光電変換ユニットは双方向であることを特徴とする。これにより、上り方向、下り方向とも新たな光ファイバで中央装置と接続される。即ち、上り方向、下り方向とも通信効率が向上される。
【００１５】
又、その入力端子と出力端子間に電力を通過させる電力通過フィルタを備えたことを特徴とする。
これにより、光電変換器でネットワークシステムは分割されても電力系統は分割されることはない。従来通り電力が供給され、中継アンプは従来通り機能する。又、新たに中継アンプ等を追加することができる。即ち、新たに電力供給線を設ける必要がない。よって、低コストに効率よく請求項１乃至請求項８の何れか１項に記載の複合化中継アンプを実現することができる。
【００１６】
又、複合化中継アンプを用いたネットワークシステムは、中央装置と複数の中継装置、及び複数の端末装置からなるネットワークシステムであって、中継装置の何れかを請求項１乃至請求項９の何れか１項の複合化中継アンプとし、中央装置から延出された１系統のネットワークシステムを中央装置から光ファイバで並列に延出された複数系統のネットワークシステムとすること特徴とする。
従来のネットワークシステムの中継アンプの何れかを、光電変換器を装着した複合化中継アンプに代えれば、従来の１系統のネットワークシステムを複数系統のネットワークシステムに分割することができる。複数に分割されたネットワークシステムは、並列に直接光ファイバで中央装置と接続される形態となる。即ち、需要家が複数に分割されるので、需要家のアクセスが集中しても従来よりは待機時間が低減される。即ち、それぞれのネットワークシステムの需要家は効率よくデータ通信を行うことができる。
【００１７】
又、複合化中継アンプを用いたネットワークシステムは、中央装置と複数の中継装置、及び複数の端末装置からなるネットワークシステムであって、ネットワークシステムの所定個所に複合化中継アンプを備えて、将来の新たなネットワークシステムの拡大に備えることを特徴とする。
現在、ネットワークシステムを利用する需要家は増大を続けており、将来に渡ってもその傾向は衰える兆しはない。即ち、現在は適正であるが将来的には需要家増に伴いデータ通信効率が低下する可能性がある。
よって、将来、通信効率の低下が懸念される個所には、請求項１乃至請求項９の何れか１項の複合化中継アンプを予め備えておく。但し、現状は同軸ケーブル系でサービスを行う。これにより、将来、需要家が増大しても、即座に光ファイバ系のサービスに切り換えることができる。よって、将来の需要家増に備えるとともに、現在のネットワークシステムを維持する効率的なネットワークシステムとなる。
尚、将来、通信効率の低下が懸念される個所は、現在のネットワークシステムの最終段の中継アンプも含む。即ち、将来、現在のネットワークシステムを延長する場合も含む。最終段に本発明の複合化中継アンプを備えて置けば、将来の延長に対応することができる。
【００１８】
又、ネットワークシステムは複合化中継アンプを用いたＣＡＴＶネットワークシステムであることを特徴とする。
ＣＡＴＶネットワークシステムは、現在市中に張り巡らされＴＶ受信のみならず高速インタネットが可能な重要なネットワークシステムとなっている。将来は、データの大容量化とともに利用者が急増し、通信効率の低下が予想される。従って、請求項１０又は請求項１１のネットワークシステムをＣＡＴＶネットワークシステムに適用すれば、多くの需要家に対して将来に渡って高速通信を保証することができる。即ち、ＴＶ受信のみならず、将来のデータの大容量化と需要家の増大に予め対応できる様に対処した優れたネットワークシステムとすることができる。
【図面の簡単な説明】
【００１９】
【図１】本発明の第１実施例に係る複合化中継アンプを適用したＣＡＴＶネットワークシステムの構成図。
【図２】本発明の第１実施例に係る双方向中継アンプの回路図。
【図３】本発明の第１実施例に係る複合化中継アンプの回路図。
【図４】本発明の第２実施例に係る複合化中継アンプの回路図。
【図５】本発明の第３実施例に係る複合化中継アンプの回路図。
【図６】本発明の第４実施例に係る複合化中継アンプの回路図。
【図７】本発明の第１実施例の変形例に係るＡＧＣを基板化した双方向中継アンプの回路図。
【図８】本発明の第１実施例の変形例に係る複合化中継アンプの回路図。
【図９】本発明の第１実施例の変形例に係る複合化中継アンプの回路図。
【図１０】本発明の第１実施例の変形例に係る分波フィルタとＡＧＣを基板化した双方向中継アンプの回路図。
【図１１】本発明の第１実施例の変形例に係る複合化中継アンプの回路図。
【図１２】本発明の第３実施例の変形例に係る複合化中継アンプの回路図。
【図１３】従来の双方向中継アンプを用いたＣＡＴＶネットワークシステムの構成図。
【発明を実施するための形態】
【００２０】
以下、本発明の実施の形態について図面を参照して説明する。なお、本発明は下記実施例に限定されるものではない。
（第１実施例）
図１に本発明の複合化中継アンプが適用されるＣＡＴＶネットワークシステムを示す。図はシステム構成図である。本実施例のＣＡＴＶネットワークシステムは、ＣＡＴＶ局に設けられた中央装置１０、光ファイバ２０、２５、光電型の双方向中継アンプ４０Ａ、同軸ケーブル２２、双方向中継アンプ４０Ｂn 、４０Ｂm 、複合化中継アンプ５０、分岐同軸ケーブル２１、そして分岐同軸ケーブル２１に接続された需要家３０から構成される。尚、需要家３０の構成は従来例と同等である。
光電型の双方向中継アンプ４０Ａは、図示しない光電変換器を有した中継アンプであり、上り方向には光信号で下り方向には電気信号で中継する中継アンプである。又、双方向中継アンプ４０Ｂn 、４０Ｂm は、電気信号を双方向に増幅して送出する中継アンプである。尚、ｎ、ｍはインデックスを表す整数である。双方向中継アンプ４０Ｂn 、４０Ｂm は、例えば幹線増幅器、延長増幅器、分配増幅器、幹線分配増幅器、分岐増幅器、幹線分岐増幅器等が挙げられる。
【００２１】
上記構成において、中央装置１０、光電型の双方向中継アンプ４０Ａ、双方向中継アンプ４０Ｂn 、双方向中継アンプ４０Ｂm に至る経路と分岐同軸ケーブル２１、需要家３０で構成される所謂マルチドロップ型のネットワークシステムが従来のネットワークシステムである。従来例では、このネットワークシステムにより約２００世帯の需要家がカバーされている。本実施例は、インタネット等のデータ通信の需要増から、例えば双方向中継アンプ４０Ｂn の次段を図のように複合化中継アンプ５０に置き換え、それを新たな光ファイバ２５で中央装置１０に接続した構成である。即ち、従来のネットワークシステムを約１００世帯の需要家をカバーする２つの系統に分割したことが本実施例の特徴である。
詳細には、中央装置１０から光ファイバ２０を経て光電型の双方向中継アンプ４０Ａ、双方向中継アンプ４０Ｂn に至るまでのネットワークシステムが１つのネットワークシステムとなる。又、中央装置１０、光ファイバ２５、複合化中継アンプ５０、そしてそれ以降の需要家３０で形成される他のネットワークシステムが新たなネットワークシステムとなる。即ち、図のように従来のネットワークシステムはＡ点で上流と下流に２分される。
【００２２】
図のように複合化中継アンプ５０を用いると、従来のネットワークシステムが２分される理由を、双方向中継アンプ４０Ｂn 、複合化中継アンプ５０を用いて説明する。複合化中継アンプ５０は、双方向中継アンプ４０Ｂn を利用して構成される。先ず、図２に双方向中継アンプ４０Ｂn を示す。図は、回路図である。
双方向中継アンプ４０Ｂn は、入力端子及び出力端子である１対のＲＦコネクタ４１、１対の分波フィルタ４２、減衰器（ＡＴＴ）４３ａ、４３ｂ、イコライザ（ＥＱ）４４ａ、４４ｂ、増幅器（Ａｍｐ）４５ａ、４５ｂ、ゲインコントロール（ＧＣ）４６、分岐器４７、自動増幅率制御装置（ＡＧＣ）４９、（ＴＩＬＴ）４８、そして電力通過フィルタ１００、電通チップ１０５、そして所定の構成要素を着脱可能とする端子Ｔ（◎印）及び筐体１１０から構成される。尚、増幅器（Ａｍｐ）４５ａ、４５ｂとで双方向同軸アンプが形成される。
この構成により、例えば７０ＭＨｚ〜７７０ＭＨｚの下り信号が経路ａで増幅して下流に伝送され、例えば１０ＭＨｚ〜５５ＭＨｚの上り信号が経路ｂで増幅されて上流に伝送される。又、この双方向中継アンプ４０Ｂn は電力通過フィルタ１００と電通チップ１０５を備えているので、電源装置９０からの電力は上流又は下流に通電される。
【００２３】
本実施例に用いる複合化中継アンプ５０を図３に示す。複合化中継アンプ５０の特徴は双方向中継アンプ４０Ｂn の減衰器（ＡＴＴ）４３ａ、４３ｂ、自動増幅率制御装置（ＡＧＣ）４９を取り外し、小型の自動増幅率制御装置（ＡＧＣ）４９ａと光電変換器（Ｏ／Ｅ）５１からなる光電変換器ユニット５９を備えたことである。又、減衰器（ＡＴＴ）４３ａ、４３ｂを取り除いた端子Ｔに終端抵抗ｒa 、ｒb を備えたことである。
これにより、例えば中央装置から光ファイバ２５で送信された下り信号は、光電変換ユニット５９の光電変換器（Ｏ／Ｅ）５１で電気信号に変換されて、イコライザ（ＥＱ）４４ａ、増幅器４５ａ、即ち経路ａで各需要家に送信される。
又、終端抵抗ｒa に切り換えられた個所では反射がない。即ち、上流に分割されたネットワークシステムの下り信号の品質は維持される。
【００２４】
又、需要家からの上り信号は、経路ｂから入力され、増幅器（Ａｍｐ）４５ｂ、イコライザ（ＥＱ）４４ｂを経て光電変換器（Ｏ／Ｅ）５１に入力される。そして、光電変換器（Ｏ／Ｅ）５１で光信号に変換されて光ファイバ２５で中央装置に送信される。即ち、この複合化中継アンプ５０以降の需要家は、光ファイバ２５で直接、中央装置と接続される。即ち、従来のネットワークシステムが２分割されて新たなネットワークシステムが形成される。分割された各ネットワークシステムは、需要家数が半減するので待ち時間が減少する。その意味において、通信効率が向上する。
【００２５】
尚、減衰器（ＡＴＴ）４３ｂを取り除くことによって上り方向のネットワークシステムが分断されるが、その個所には７５Ωの終端手抵抗ｒb を備えている。従って、そこでの反射がない。よって、上流に分割されたネットワークシステムの上り信号の品質も維持される。又、上記光電変換ユニット５９を取り除き、従来の自動増幅率制御装置（ＡＧＣ）４９と減衰器４３ａ、４３ｂを装着すれば、従来のシステムとなるのは云うまでもない。
又、この複合化中継アンプ５０も電力通過フィルタ１００を有しているので、電源装置９０からの電力を外部に送出することができる。即ち、通電に関しても従来の双方向中継アンプ４０Ｂn と同等に取り扱うことができる。
即ち、将来の需要家増に備えて、このような光ファイバが容易に接続可能な複合化中継アンプ５０を予めネットワークシステムに備えておけば、需要家増大時にはネットワークシステムにおいて、即座に光ファイバ化することができる。即ち、産業上、極めて利便性に優れた有用な中継装置となる。
【００２６】
（第２実施例）
第１実施例は、従来のネットワークシステムを光電変換器ユニット５９で上り方向、下り方向とも分割する例であった。しかしながら、下り方向は７０ＭＨｚ〜７７０ＭＨｚと云う幅広い帯域の空き帯域を利用している。よって、例えばアクセスが集中しても下り方向に関しては、その通信効率は大きく低下するものではない。逆に、上り方向は１０ＭＨｚ〜５５ＭＨｚの帯域で、更にその空き帯域を使用している。従って、アクセスが集中した場合は、その通信効率が低下する場合がある。本実施例は、上記問題に対して対処する例である。即ち、下り方向を従来の同軸ケーブル系とし、上り方向のみ光ファイバ系とした例である。即ち、上り方向のみにおいて分割された新たなネットワークシステムを形成した例である。
【００２７】
図４に上り方向のみ分割する複合化中継アンプ６０を示す。この構成は、第１実施例の複合化中継アンプ５０（図３）の経路ａ側の減衰器（ＡＴＴ）４３ａ、イコライザ（ＥＱ）４４ａの端子接続を省略したものである。この構成により、例えば中央装置からの下り信号は、従来通り分波器フィルタ４２で経路ａに分波され、減衰器（ＡＴＴ）４３ａ、イコライザ（ＥＱ）４４ａ、増幅器４５ａ等を経て各需要家に送信される。一方、光電変換ユニット５９以降の需要家からの上り信号は、下流側の分波フィルタ４２で経路ｂに分波され、増幅器４５ｂ、イコライザ（ＥＱ）４４ｂを経て光電変換器５１に入力される。そして、光電変換器５１で光信号に変換されて光ファイバ２５を介して中央装置に送信される。即ち、上り信号のみが２系統に分割される。よって、上り方向にデータアクセスが集中しても、従来のようには待機することがない。即ち、上り方向の通信効率を向上させることができる。
【００２８】
（第３実施例）
第１、第２実施例は、光電変換ユニットを所定の端子に装着するだけで、双方向同軸アンプの入出力を同軸ケーブル系から光ファイバ器系に切り換える例であった。本実施例は、切り換えスイッチ装置を有し、光電変換器の装着でその切り換えスイッチを作動させ、同軸ケーブル系から光ファイバ系に切り換える例である。又、本実施例は従来の自動増幅率制御装置（ＡＧＣ）を用い光電変換器のみを新たに端子接続とする例である。このような構成にすれば、端子Ｔの数を減らせることができる。
【００２９】
本実施例に用いる複合化中継アンプ５０を図５に示す。本実施例の複合化中継アンプ５０の特徴は双方向中継アンプ４０Ｂn （図２）に、光ファイバ２５に接続された光電変換器（Ｏ／Ｅ）５１、端子Ｔ、切り換えスイッチ装置５２、５３、及び終端抵抗ｒa 、ｒb を備えたことである。
この切り換えスイッチ装置５２、５３は、例えば押圧式の機械式スイッチであり光電変換器（Ｏ／Ｅ）５１の端子Ｔへの装着時の押圧で、両者ともスイッチが端子ｐ側に切り換わるものである。これにより、例えば中央装置から光ファイバ２５で送信された下り信号は、光電変換器（Ｏ／Ｅ）５１で電気信号に変換されて切り換えスイッチ装置５２、増幅器４５ａ、即ち経路ａで各需要家に送信される。尚、この時、切り換えスイッチ装置５２の上流側のスイッチは、同様に端子ｐ側に切り換えられ７５Ωの終端抵抗ｒa に切り換えられる。即ち、そこでの反射がない。よって、上流に分割されたネットワークシステムの下り信号の品質は維持される。
【００３０】
又、需要家からの上り信号は、経路ｂから入力され、増幅器４５ｂ、切り換えスイッチ装置５３の端子ｑ、端子Ｔを経て光電変換器（Ｏ／Ｅ）５１に入力される。そして、光電変換器（Ｏ／Ｅ）５１で光信号に変換されて光ファイバ２５で中央装置に送信される。即ち、この複合化中継アンプ５０以降の需要家は、光ファイバ２５で直接、中央装置と接続される。即ち、従来のネットワークシステムが２分割されて新たなネットワークシステムが形成される。分割された各ネットワークシステムは、需要家数が半減するので待ち時間が減少する。その意味において、通信効率が向上する。
【００３１】
尚、切り換えスイッチ装置５３の切り換えにおいて、端子ｐ側には７５Ωの終端手抵抗ｒb を備えている。従って、切り換えスイッチ装置５３がｐ側に切り換えられても、そこでの反射がない。よって、上流に分割されたネットワークシステムの上り信号の品質も維持される。又、上記光電変換器５１を取り除けば、切り換えスイッチ装置５２、５３は両者とも端子ｑ側に切り換えられ、従来のシステムとなるのは云うまでもない。又、この複合化中継アンプ５０も電力通過フィルタ１００を有しているので、電源装置９０からの電力を外部に送出することができる。即ち、通電に関しても従来の双方向中継アンプ４０Ｂn と同等に取り扱うことができる。
即ち、このような光ファイバが容易に接続可能な複合化中継アンプ５０を予めネットワークシステムに備えておけば、需要増に対してネットワークシステムを迅速に光ファイバ化することができる。
【００３２】
（第４実施例）
第３実施例は、従来のネットワークシステムを光電変換器（Ｅ／Ｏ）５１で上り方向、下り方向とも分割する例であった。本実施例は、第２実施例同様、上り方向のみ光ファイバ接続とする例である。即ち、光電変換器（Ｅ／Ｏ）５１に代えて光電変換器（Ｅ／Ｏ）６１を採用し、上り方向のみが分割された新たなネットワークシステムを形成した例である。
【００３３】
図６に上り方向のみ分割する複合化中継アンプ６０を示す。この構成は、第３実施例の複合化中継アンプ５０の切り換えスイッチ装置５２を省略し、光電変換器（Ｅ／Ｏ）５１に代えて上り方向のみ変換する光電変換器（Ｅ／Ｏ）６１を採用した構成である。尚、図６の複合化中継アンプ６０では筐体１１０は省略してある。
この構成により、例えば中央装置からの下り信号は、従来通り分波器フィルタ４２で経路ａに分波され、減衰器（ＡＴＴ）４３a 、イコライザ（ＥＱ）４４a 、増幅器４５ａ等を経て各需要家に送信される。一方、光電変換器６１以降の需要家からの上り信号は、下流側の分波フィルタ４２で経路ｂに分波され、増幅器４５ｂ、減衰器４３ｂ、切り換えスイッチ装置５３（端子ｑ）、端子Ｔを経て光電変換器６１に入力される。そして、光電変換器６１で光信号に変換されて光ファイバ２５を介して中央装置に送信される。即ち、上り信号のみが２系統に分割される。よって、上り方向にデータアクセスが集中しても、従来のようには待機することがない。即ち、上り方向の通信効率を向上させることができる。
【００３４】
尚、光電変換器６１を装着するとそれに連動して切り換えスイッチ装置５３が端子ｐ側に切り換えられる。端子ｐ側には７５Ωの終端手抵抗ｒを備えているので、そこでの反射はない。よって、上流に分割されたネットワークシステムの上り信号の品質は維持される。又、上記光電変換器６１を取り除けば、切り換えスイッチ装置５３は端子ｑ側に切り換えられ、従来のシステムと同等となる。即ち、このような複合化中継アンプ６０を予めネットワークシステムに備えておけば、上り方向の需要増に対して迅速に応えることができる。即ち、迅速に上り方向のみ光ファイバ化することができる。
【００３５】
（変形例）
以上、本発明を表わす１実施例を示したが、他にさまざまな変形例が考えられる。例えば、第１実施例では、光ファイバ系に切り換える時は、自動増幅率制御装置（ＡＧＣ）４９、減衰器（ＡＴＴ）４３ａ、４３ｂを取り外し、光電変換器ユニット５９と終端抵抗ｒa 、ｒb を端子接続した。しかしながら、図７に示すように、自動増幅率制御装置（ＡＧＣ）４９を基板５９上に設け、その基板５９を、従来の回路と端子Ｔで端子接続としてもよい。尚、５９は回路基板と共に回路を内蔵したユニットをも意味する。よって、ユニット５９をアンプ筐体から離脱させる。そして、光ファイバ系接続とする場合は、その基板５９（ユニット５９）を取り除き、図８に示すように基板５９Ａを装着する。基板５９Ａは基板及びその上に搭載された回路を内蔵したユニットでもある。基板５９Ａは、図示するように光電変換器５１、自動増幅率制御装置（ＡＧＣ）４９ａと終端抵抗ｒa 、ｒb を予め設けた基板である。この基板５９Ａ（ユニット）を装着すれば、１回の着脱で容易に同軸ケーブル系と光ファイバ系に切り換えることができる。又、その動作と効果は第１実施例のそれと同等である。このように構成することもできる。以下の説明で、基板はユニットの意味でも用いられる。
【００３６】
又、図８の光電変換器ユニット５９Ａの端子接続は、図９のように変形してもよい。即ち、減衰器４３ａ、４３ｂ、イコライザ（ＥＱ）４４ａ、４４ｂを介さずに、直接光電変換器５１と増幅器４５ａ、４５ｂを接続してもよい。
更に、図１０に示すように変形することも可能である。即ち、図１０に示すように上流側の分波フィルタ４２と自動増幅率制御装置（ＡＧＣ）４９を１つの基板５９Ｂに備え、その基板を複数の端子Ｔで取り外し可能とする。そして、光ファイバ接続とする場合は、それを取り除いてその後に図１１に示すように光電変換ユニット５９Ｃを端子接続してもよい。同様の効果を奏することができる。
【００３７】
又、例えば、第３実施例では、自動増幅率制御装置（ＡＧＣ）４９に隣接して光電変換器（Ｅ／Ｏ）５１を設けたが、図１２に示すように自動増幅率制御装置（ＡＧＣ）４９を取り除いたあとのスペース５５に光電変換器（Ｏ／Ｅ）５１を設けてもよい。即ち、自動増幅率制御装置（ＡＧＣ）４９を取り除いたあとのスペース５５に露出された端子Ｔに、光電変換器５１を装着するようにすればよい。省スペースとなるので、複合化中継アンプ５０を小型化することができる。尚、この時、増幅器は手動で増幅率を制御することになる。このように構成することもできる。
【００３８】
又、第３実施例では光電変換器（Ｅ／Ｏ）５１の装着に連動して、切り換えスイッチ装置５２、５３が端子ｐ側に切り換わる構成としたが、連動させなくともよい。作業者がその切り換えスイッチを手動で切り換えてもよい。同等の効果がある。又、他の例と同様に、基板（ユニット）の端子に対する着脱だけで、端子切り換えができるようにしても良い。
【００３９】
又、第１実施例ではＣＡＴＶネットワークシステムをマルチドロップ型のネットワーク形態で説明したが、他の形態でもよい。例えば、ツリー形態のネットワークシステムでもよい。そこで使用されている様々な種類の双方向中継アンプを本発明の複合化中継アンプ５０に置き換えれば、それ以降の需要家は新たな光ファイバで中央装置と接続される。ネットワークの形態は問わない。
【００４０】
又、第１実施例ではネットワークシステムの何れかの中継アンプを複合化中継アンプに置き換えて、ネットワークシステムを分割する例であったが、複合化中継アンプはネットワークシステムを延長させる場合に用いてもよい。システムを延長する場合には、ネットワークシステムの同軸ケーブルの終端に本発明の複合化中継アンプを備えればよい。一般にネットワークシステムを延長すると、需要家が増大するので通信効率が低下するが、本発明の複合化中継アンプを同軸ケーブルの最終段に備えば、それより以降の需要家は新たな光ファイバで中央装置に直接、接続される。即ち、需要家増大に伴う待ち時間の増大がない。よって、通信効率を低下させないネットワークシステムとすることができる。
【符号の説明】
【００４１】
１０…中央装置
２０、２５…光ファイバ
３０…需要家
４０Ａ…光電型双方向中継アンプ
４０Ｂn ，Ｂm …双方向中継アンプ
４５ａ、４５ｂ…増幅器
４９、４９ａ…自動増幅率制御装置
５０…複合化中継アンプ
５１…光電変換器
５５…スペース
５９、５９Ａ、５９Ｃ…光電変換ユニット
６０…複合化中継アンプ
６１…光電変換器
５２、５３…切り換えスイッチ装置
１００…電力通過フィルタ
Ｔ…端子
ｒ、ｒa 、ｒb …終端抵抗
【図１】
2011139539.tif 000003
【図２】
2011139539.tif 000004
【図３】
2011139539.tif 000005
【図４】
2011139539.tif 000006
【図５】
2011139539.tif 000007
【図６】
2011139539.tif 000008
【図７】
2011139539.tif 000009
【図８】
2011139539.tif 000010
【図９】
2011139539.tif 000011
【図１０】
2011139539.tif 000012
【図１１】
2011139539.tif 000013
【図１２】
2011139539.tif 000014
【図１３】
2011139539.tif 000015